(57)【要約】【課題】  この発明はナイトテーブルを不要なときには収納でき、必要なときにはヘッドボードの側方に設置することができるベッド装置を提供することにある。【解決手段】  一側面が開口しこの一側面をヘッドボード１２の幅方向外方に向けるとともに、長手方向一端がヘッドボードの幅方向一端部に連結される箱状体２と、箱状体の内部を複数の収納部５ａ〜５ｃに分割した仕切り板４と、箱状体の複数の収納部のうちのヘッドボード側に位置する収納部に出し入れ可能に設けられたナイトテーブル６と、箱状体の長手方向他端に幅方向一端が連結されるフットボード１４と、ヘッドボードとフットボードとの幅方向他端に一端と他端とを連結して設けられた側板２１と、側板の内面と箱状体の他側面との間に架設された床板３と、床板と箱状体の上面とがなす平面に載置されるマットレス２５とを具備する。【選択図】      図１
2005137571.tif 000002
【特許請求の範囲】
【請求項１】
ヘッドボードと、
一側面が開口しこの一側面を上記ヘッドボードの幅方向外方に向けるとともに、長手方向一端が上記ヘッドボードの幅方向一端部に連結される箱状体と、
この箱状体の内部を複数の収納部に分割した仕切り部材と、
上記箱状体の複数の収納部のうちの上記ヘッドボード側に位置する収納部に出し入れ可能に設けられたナイトテーブルと、
上記箱状体の長手方向他端に幅方向一端が連結されるフットボードと、
上記ヘッドボードとフットボードとの幅方向他端に一端と他端とを連結して設けられた側板と、
この側板の内面と上記箱状体の他側面との間に架設された床板と、
この床板と上記箱状体の上面とがなす平面に載置されるマットレスと
を具備したことを特徴とするベッド装置。
【請求項２】
上記箱状体の長手方向一端部と他端部とには、上記ナイトテーブルを出し入れ可能に収容できる同じ大きさの収納部が形成されていることを特徴とする請求項１記載のベッド装置。
【請求項３】
上記ナイトテーブルは、先端面が開口した箱形のテーブル本体を有し、このテーブル本体には上記先端面側に引き出しが出し入れ可能に設けられていることを特徴とする請求項１記載のベッド装置。
【請求項４】
上記ナイトテーブルは、上記箱状体の収納部に出し入れ可能に設けられたテーブル本体と、このテーブル本体の上面に高さ調整可能に設けられテーブル本体を上記収納部から引き出したときに所定の高さで保持可能なテーブル板とを有することを特徴とする請求項１記載のベッド装置。
【発明の詳細な説明】
【技術分野】
【０００１】
この発明は利用者の頭部の側方に小物類を載置するためのナイトテーブルが設けられるベッド装置に関する。
【背景技術】
【０００２】
ベッド装置を利用する場合、たとえば水差し、照明スタンド或いは眼鏡などの種々の小物類を枕元に置くことができると便利である。そこで、従来はベッド装置の側方にナイトテーブルを設置し、このナイトテーブルの載置面に上述した小物類を置くようにしている。
【０００３】
ところで、ベッド装置の側方に設置されたナイトテーブルは不要なことがあり、そのような場合にはナイトテーブルを邪魔にならない位置に移動させたり、片付けるなどのことが行なわれていた。
【発明の開示】
【発明が解決しようとする課題】
【０００４】
しかしながら、ベッド装置の側方に設置されたナイトテーブルを、不要なときに移動させたり、片付けるということは手間が掛かるばかりか、その作業が煩わしいということがある。しかも、ナイトテーブルを片付けるためには収納場所が必要になるということがあり、さらにナイトテーブルを片付けてしまうと、必要なときに簡単に使うことができないということがあり、不便である。
【０００５】
この発明は、ナイトテーブルが不要なときには片付けが容易で、必要なときには簡単に使用することができるようにしたナイトテーブルを備えたベッド装置を提供することにある。
【課題を解決するための手段】
【０００６】
この発明は、ヘッドボードと、
一側面が開口しこの一側面を上記ヘッドボードの幅方向外方に向けるとともに、長手方向一端が上記ヘッドボードの幅方向一端部に連結される箱状体と、
この箱状体の内部を複数の収納部に分割した仕切り部材と、
上記箱状体の複数の収納部のうちの上記ヘッドボード側に位置する収納部に出し入れ可能に設けられたナイトテーブルと、
上記箱状体の長手方向他端に幅方向一端が連結されるフットボードと、
上記ヘッドボードとフットボードとの幅方向他端に一端と他端とを連結して設けられた側板と、
この側板の内面と上記箱状体の他側面との間に架設された床板と、
この床板と上記箱状体の上面とがなす平面に載置されるマットレスと
を具備したことを特徴とするベッド装置にある。
【０００７】
上記箱状体の長手方向一端部と他端部とには、上記ナイトテーブルを出し入れ可能に収容できる同じ大きさの収納部が形成されていることが好ましい。
【０００８】
上記ナイトテーブルは、先端面が開口した箱形のテーブル本体を有し、このテーブル本体には上記先端面側に引き出しが出し入れ可能に設けられていることが好ましい。
【０００９】
上記ナイトテーブルは、上記箱状体の収納部に出し入れ可能に設けられたテーブル本体と、このテーブル本体の上面に高さ調整可能に設けられテーブル本体を上記収納部から引き出したときに所定の高さで保持可能なテーブル板とを有することが好ましい。
【発明の効果】
【００１０】
この発明によれば、ナイトテーブルが箱状体の収納部に出し入れ可能に設けられているから、ナイトテーブルを使うときには収納部から引き出せばよく、不要なときには収納部に収容することができる。
【発明を実施するための最良の形態】
【００１１】
図１乃至図３はこの発明の第１の実施の形態を示す。図１はこの発明のベッド装置の分解斜視図であって、このベッド装置は載置体１を備えている。この載置体１は、箱状体２と、長手方向中途部で分割された２枚の床板３とから構成されている。上記箱状体２は一側面が開口していて、内部は仕切り部材としての２つの仕切り板４によって第１乃至第３の収納部５ａ〜５ｃに分割されている。
【００１２】
上記箱状体２の長手方向一端部と他端部とに形成された第１の収納部５ａと第３の収納部５Ｃとは同じ大きさ（幅寸法）に設定され、中央に位置する第２の収納部５ｂは第１、第３の収納部５ａ，５ｃよりも大きく設定されている。
【００１３】
上記第１の収容部５ａにはナイトテーブル６が出し入れ可能に設けられ、第２の収容部５ｂには第１の引き出し７、第３の収容部５ｃには第２の引き出し８がそれぞれ出し入れ可能に設けられている。ナイトテーブル６及び各引き出し７，８の前面板６ａ，７ａ，８ａは各収納部５ａ〜５ｃの開口面よりもわずかに大きく設定されていて、これら前面板の下端部には、ナイトテーブル６や各引き出し７，８を引き出すときに手を掛けるための図示しない凹状の手掛け部が形成されている。
【００１４】
上記ナイトテーブル６は直方体状をなしていて、その上面は平面からなるテーブル面６ｂとなっている。上記第１、第２の引き出し７，８は上面が開放した矩形箱形状をなしていて、内部に小物類を収容することができるようになっている。
【００１５】
上記箱状体２は長手方向両端に一端と他端とに位置する各端板２ａ，２ｂには、箱状体２の開口面側に位置する端部に一対の通孔１１が上下方向に所定間隔で形成されている。箱状体２の一方の端板２ａには、この箱状体２よりも幅寸法及び高さ寸法が十分に大きいヘッドボード１２の幅方向一端部が上記通孔１１からヘッドボード１２の内面の幅方向一端部に形成された一対のねじ孔１２ａに通された一対のねじ１３によって取付け固定されている。なお、この実施の形態では、上記ヘッドボード１２の幅寸法は、上記箱状体２の幅寸法の２倍に設定されている。
【００１６】
上記箱状体２の他方の端板２ｂには、上記ヘッドボード１２と同じ幅寸法で、高さ寸法が低いフットボード１４の幅方向一端部が上記端板２ｂの通孔１１からフットボード１４の内面の幅方向一端部に形成された図示しない一対のねじ孔に通された一対のねじ１３によって取付け固定されている。
【００１７】
上記ヘッドボード１２とフットボード１４との幅方向の他端には、帯板状の側板２１が着脱可能に取り付けられている。つまり、側板２１の長手方向両端にはＬ字状をなした連結金具２２の一辺が取付け固定されている。この連結金具２２の他辺には上下一対の鉤部が形成され、この鉤部はヘッドボード１３とフットボード１４との幅方向他端に形成されたねじ孔１２ａ（ヘッドボード１２のねじ孔１２ａだけ図示）にねじ２３によって取付け固定される。
【００１８】
上記側板２１の内面と、上記箱状体２の他側外面とにはそれぞれ受け桟２４（側板２１の内面の受け桟２４だけ図示）が設けられている。一対の受け桟２４には上記床板３が幅方向両端部を係合させて架設される。つまり、床板３は箱状体２と側板２１との間に設けられる。上記箱状体２の上面と、上記床板３の上面とは平面となっていて、この平面にはマットレス２５が載置される。
【００１９】
このような構成のベッド装置によれば、箱状体２のヘッドボード１２側に形成された第１の収納部５ａにはナイトテーブル６が出し入れ可能に設けられている。そのため、マットレス２５上に仰臥した利用者は、図２に示すように上記ナイトテーブル６を第１の収容部５ａから引き出せば、このナイトテーブル６の上面、つまりテーブル面６ｂに小物類を載置して利用することができる。ナイトテーブル６が不要なときには、このナイトテーブル６を第１の収容部５ａに入れれば、このナイトテーブル６が邪魔になることがない。
【００２０】
すなわち、この発明のナイトテーブル６は、必要なときにだけ箱状体２の第１の収納部５ａから引き出して使用し、不要なときには上記第１の収納部５ａに収納することができるため、簡単に使用したり、片付けたりすることができて便利である。
【００２１】
箱状体２には長手方向一端部にナイトテーブル６が設けられた第１の収納部５ａが形成され、他端部に第１の収納部５ａと同じ大きさの第３の収納部５ｃが形成されている。そのため、図２に示すように箱状体２がフットボード１４側から見てヘッドボード１２の左側に取り付けられている場合には、ナイトテーブル６を第１の収納部５ａに設けることで、マットレス２５上に仰臥した利用者が上記ナイトテーブル６を利用し易い。
【００２２】
フットボード１４側から見てベッド装置の左の側面を室内の壁に接近させて設置したいことがある。そのような場合には、図３に示すように箱状体２をヘッドボード１２の幅方向の右側に連結しなければならない。
【００２３】
箱状体２をヘッドボード１２の幅方向の右側に連結する場合、ヘッドボード１２の内面に上記箱状体２の長手方向他端面、つまり第３の収納部５ｃ側の端面をヘッドボード１２に連結するようになる。上記第３の収納部５ｃは第１の収容部５ａと同じ大きさに形成されている。そのため、フットボード１４側に位置する第１の収容部５ａに第１の引き出し７を設け、第３の収容部５ｃにナイトテーブル６を設けることができるから、マットレス２５上に仰臥した利用者はナイトテーブル６を図２の場合と同じように利用することができる。
【００２４】
図４（ａ），（ｂ）はこの発明の第２の実施の形態を示す。この実施の形態は箱状体２の第１の収納部５ａ設けられるナイトテーブルの変形例である。すなわち、この実施の形態のナイトテーブル６１はテーブル本体６２を有する。このテーブル本体６２は前面が開口し上面がテーブル面６２ａとなった箱形状に形成されていて、このテーブル本体６２には引き出し６３が出し入れ可能に設けられている。引き出し６３の前面板６３ａは第１の収納部５ａの開口面積よりもわずかに大きく形成されている。
【００２５】
このような構成によれば、図４（ａ）に示すように第１の収納部５ａからテーブル本体６２を引き出し、引き出し６３はテーブル本体６２内に収容しておけば、テーブル本体６２の上面のテーブル面６２ａに小物類などを置くことができる。
【００２６】
テーブル本体６２を第１の収容部５ａから引き出した状態或いはテーブル本体６２を第１の収納部５ａに入れた状態で、引き出し６３を引き出せば、この引き出し６３を利用することができる。また、図４（ｂ）に示すように引き出し６３とテーブル本体６２とを第１の収納部５ａに収納すれば、外観的には第１の実施の形態ベッド装置となんら変わることがない。
【００２７】
図５はこの発明の第３の実施の形態を示す。この第３の実施の形態は第２の実施の形態と同様、ナイトテーブルの変形例であって、この実施の形態のナイトテーブル７１は第１の収納部５ａに出し入れ可能に設けられたテーブル本体７２を有する。このテーブル本体７２は前面板７２ａを有する直方体をなしていて、上面にはテーブル板７３が下面に設けられた一対の脚部材７４を介して図示しないリンク機構等により高さ調整可能に設けられている。
【００２８】
それによって、テーブル本体７２を第１の収納部５ａから引き出したときに、テーブル板７３を上昇させることで、このテーブル板７３の高さをマットレス２５の上面に近づけることができるから、マットレス２５上に仰臥した利用者は、テーブル板７３の利用が容易となる。
【００２９】
図４と図５に示す上記第２、第３の実施の形態において、箱状体に形成される第１の収納部と第３の収納部は同じ大きさに形成されている。それによって、ヘッドボードに対する箱状体の取付け位置を、このヘッドボードの幅方向一端側から他端側に変えた場合であっても、利用者が利用し易いよう、ヘッドボード側に位置する第３の収納部に引き出しを出し入れ可能に設けることができる。
【図面の簡単な説明】
【００３０】
【図１】この発明の第１の実施の形態を示すベッド装置の分解斜視図。
【図２】ヘッドボードの幅方向一端側に設けられた箱状体からナイトテーブルを引き出したベッド装置の斜視図。
【図３】ヘッドボードの幅方向他端側に設けられた箱状体からナイトテーブルを引き出したベッド装置の斜視図。
【図４】この発明の第２の実施の形態を示し、（ａ）は引き出しを引き出した状態の斜視図、（ｂ）は引き出しを収納した状態の斜視図。
【図５】この発明の第３の実施の形態を示す引き出しを引き出した状態の斜視図。
【符号の説明】
【００３１】
２…箱状体、３…床板、４…仕切り板、６，６１，７１…ナイトテーブル、７，８…引き出し、１２…ヘッドボード、１４…フットボード、２１…側板、２５…マットレス。
【図１】
2005137571.tif 000003
【図２】
2005137571.tif 000004
【図３】
2005137571.tif 000005
【図４】
2005137571.tif 000006
【図５】
2005137571.tif 000007